(57)【要約】【課題】軽量、コンパクトで、メンテナンス性に優れ、組立てが容易で、安価なタンク一体型パワーパッケージを提供する。【解決手段】電動機１１と油圧タンク１２、該油圧タンク１２内に収容されている油圧ポンプ１７を一体化したタンク一体型パワーパッケージ１０であって、油圧タンク１２は樹脂材料で成形されて、深い凹部１４と凹部１３の最深部を内部で連通する開口部２１を持ち、深い凹部１４の入り口は油圧ポンプ１７の吸入口を除くタンク本体１５部分と最小の隙間を持ち、凹部１３が油圧ポンプ１７の吸入通路を構成したタンク構造及びそのタンク構造を持っている。【選択図】図２
2015017578.tif 000002
【特許請求の範囲】
【請求項１】
電動機と油圧タンク、該油圧タンク内に収容されている油圧ポンプを一体化しタンク一体型パワーパッケージであって、前記油圧タンクは樹脂材料で成形されて、深い凹部と凹部の最深部を内部で連通する開口部を持ち、前記深い凹部の入り口は前記油圧ポンプの吸入口を除く本体部分と最小の隙間を持ち、前記凹部が油圧ポンプの吸入通路を構成したタンク構造及びそのタンク構造を持ったことを特徴とするポンプ一体型パワーパッケージ。
【請求項２】
請求項１記載のポンプ一体型パワーパッケージにおいて、前記油圧タンクは材質が金属材料でプレス成形されていることを特徴とするポンプ一体型パワーパッケージ。
【請求項３】
請求項１または２記載のポンプ一体型パワーパッケージにおいて、前記凹部にサクションフィルターを装着することを特徴とするポンプ一体型パワーパッケージ。
【請求項４】
請求項１乃至３いずれか１に記載のポンプ一体型パワーパッケージにおいて、
樹脂材料で成形された油圧タンクは回転成形により製作されることを特徴とするポンプ一体型パワーパッケージ。
【発明の詳細な説明】
【技術分野】
【０００１】
本発明は、工作機械や車両に搭載される油圧ポンプ、電動機、タンクが一体化された油圧パワーパッケージのタンク構造に関するものである。
【背景技術】
【０００２】
従来、小型アクチュエータの油圧駆動源として、ポンプ、電動機で構成される油圧パッケージが種々提案されている。
例えば、タンクケース１の開口部３を塞ぐ基板５にタンク外へ電動機８を、タンク内に油圧ポンプ７を配置して取り付けると共に、該油圧ポンプ７の吸入管１３、戻り管１５がタンク内に内蔵している（例えば、特許文献１参照。）。
【０００３】
さらに、例えば後フランジ１３の反前ケース側面１３ｂに設けられ後フランジ１３を壁面とした液体を貯留する後ケース１４を備え、後フランジ１３に設けられた前ケース１２と後ケース１４とを連通する連通穴１５を介して前ケース１２と後ケース１４とでタンクを形成し、後フランジ１３には前ケース１２又は後ケース面側１３ｂに開口する吸入口１６と、外側面に外部の配管と接続可能にされた一以上の接続口が設けられ、前ケース１２又は後ケース１４又は後フランジ１３のいずれかの上外側面に空気抜き１８が設けられている技術が本出願人によって提案されている（例えば、特許文献２参照。）。
【先行技術文献】
【特許文献】
【０００４】
【特許文献１】実開平７−２８２０１号公報
【特許文献２】特開２００５−０３６７４４号公報
【発明の概要】
【発明が解決しようとする課題】
【０００５】
しかしながら、特許文献２はポンプの周囲がタンクの一部を構成しているため、ポンプを取り外す際には、タンク内の作動油を完全抜き、更にポンプ部分を分解する必要があったので、メンテナンスの際に、油が作業場所に飛散し、作業工数が多くなる問題があった。
また、特許文献１においては、吸入管路をポンプに取り付ける必要があり、吸入管路やサクションフィルターの部品コストや組立作業コストが上昇する問題があった。
本発明は前記本出願人に係るタンク一体型パワーパッケージに関連してなされたもので、軽量、コンパクトで、メンテナンス性に優れ、組立てが容易で、安価なタンク一体型パワーパッケージを提供することを目的とする。
【課題を解決するための手段】
【０００６】
前記課題を解決するため本発明は、電動機と油圧タンク、該油圧タンク内に収容されている油圧ポンプを一体化しタンク一体型パワーパッケージであって、前記油圧タンクは樹脂材料で成形されて、深い凹部と凹部の最深部を内部で連通する開口部を持ち、前記深い凹部の入り口は前記油圧ポンプの吸入口を除く本体部分と最小の隙間を持ち、前記凹部が油圧ポンプの吸入通路を構成したタンク及びそのタンク構造を持ったことを特徴とする。
本発明によれば、軽量でコンパクトを図ったポンプ一体型パワーパッケージが提供できるので好適である。
【０００７】
前記油圧タンクは材質が樹脂で成形加工されているので、軽量かつ吸入管路の部品を集約することができ、好適である。
前記凹部にサクションフィルターを装着することで油圧タンク内の異物を捕捉し、油圧ポンプの損傷を守ることが出来、安価で組立てが極めて容易な一体型パワーパッケージを構成することができる。
樹脂材料で成形された油圧タンクは樹脂成形により製作されるので、生産性が向上しコストを低減することが可能である。
【発明の効果】
【０００８】
本発明は、特別な吸入配管を設けることなく、また、パワーパッケージの取り付け姿勢がタンクを下向きや水平に取り付ける場合でも、吸入配管を変更することなく、共通のパワーユニットを安価に提供することが可能となった。
さらに、油圧タンクを樹脂や薄板のプレス成形で構成することによって、吸入管路の部品を集約し、軽量とすることが出来、機械へのパワーパッケージの取り付け性や輸送コストを低減することが可能となった。
さらに、油圧タンクを下向きに設置することが出来るので、該油圧タンクを取り外す際に、作動油が飛散することなく作動油やポンプのメンテナンスが出来るため、メンテナンスに掛かる工数を縮減することが可能となった。
【図面の簡単な説明】
【０００９】
【図１】本発明の実施の形態に係るタンク一体型パワーパッケージの概略構造を示す断面図である。
【図２】図１のＩＩ−ＩＩ線の断面である。
【図３】図１のパワーパッケージの全体を示す外観図である。
【発明を実施するための形態】
【００１０】
以下、本発明の実施の形態に係るタンク一体型パワーパッケージにつき好適な実施の形態を挙げ、添付図面を参照して詳細に説明する。
図１は、タンク一体型パワーパッケージ１０の外形図を示す。タンク一体型パワーパッケージ１０は、電動機１１と、前記電動機１１を搭載した油圧タンク１２と、を備える。
油圧タンク１１は図１、図２に示すように外形は例えば、略四角形の箱型形状に形成さするように略均一の側壁を形成している。油圧タンク１１は、上部には略四角形状で深さを有する凹部１３と、前記凹部１３に連通して該凹部１３よりも深い断面略四角形状の深い凹部１４とが一体的に形成されて、タンク本体１５の上部を閉塞している。よって、凹部１３及び深い凹部１４は上方が開口している。
【００１１】
油圧タンク１１の上部には略均一の板圧のブロック１６が載置されており、該ブロック１６とシール部材１２ａによって凹部１３及び深い凹部１４が密閉されている。ブロック１６には上面に電動機１１が取り付けられており、下面に油圧ポンプ１７が取り付けられて凹部１３に収納されている。電動機１１及び油圧ポンプ１７は図示しない軸受、継手等を介して一体的に連結している。
これにより、電動機１１は、油圧ポンプ１７から吐出された作動油を油圧タンク１２（パワーパッケージ）の外部に連通させ、電動機１１と油圧ポンプ１７とを一体化するためのブロック１６と該ブロック１６に固着された螺子１８にボルト１９で固定されることより、油圧ポンプ１７と軸連結されている。そのため、油圧ポンプ１７の吐出側１９はブロック１６と連通し、吸入側２０は開放されている。
【００１２】
前記油圧タンク１１は、深い凹部１４の最深部がタンク本体１５の内部と連通するように開口部２１が形成され、凹部１３の入り口は油圧ポンプ１７の吸入口１７aの付近を除き、油圧ポンプ１７の本体とわずかな隙間を持つように成形されている。
さらに、油圧ポンプ１７の吸入口１７ａのまわりは、該油圧ポンプ１７への吸入油の流れを妨げない開口断面積を持つように成形され、油圧タンク１２の壁面が油圧ポンプ１７の吸入管路となっている。また、深い凹部１４は作動油に浸かっており、油圧ポンプ１７が電動機１１により駆動され回転すると油圧タンク１１から作動油を吸い上げ、ブロック１６へと吐き出すことが出来る。
前記凹部１３がない場合は、例えば油圧タンク１２を下向きに構成する場合、油圧ポンプ１７の吸入口から作動油液面の下に浸かる配管を取り付けなければならないので、組立て作業工数と特別な配管を必要とするが、本発明のタンク構造とすることにより、油圧タンク１２を取り付けるだけでよいため、組立て工数が極めて短くなる特長がある。
【００１３】
前記油圧タンク１２は、例えば回転成形によって製造された例えばＰＥ（ポリエステル樹脂）であって、樹脂にインサート成形されたメネジ機構を有する袋状のインサート２２に、取付けボルト２３によりをブロック１６と接合されることが可能である。油圧タンク１２を回転成形された後、深い凹部１４の最深部（底部）に切削加工などで、タンク内部との開口部２１を設けることによって、吸入管路を持つ一体型タンクにすることが出来る。
また、前記深い凹部１４に網状のフィルター（図示しない）を設けることで、油圧タンク１２内の異物を捕捉し、油圧ポンプ１７の損傷を守ることが出来、安価で組立てが極めて容易な一体型パワーパッケージを構成することが出来る。更には、タンクを取り外すことも容易になるため、たとえば作動油のメンテナンスやポンプのメンテナンスに掛かる作業工数や費用を縮減することが出来、長期間稼動し、メンテナンスに掛かる時間を最短にしたい工作機械などの油圧パワーパッケージとして最適である。
【符号の説明】
【００１４】
１０  タンク一体型パワーパッケージ    １１  電動機
１２  油圧タンク                      １３  凹部
１４  深い凹部                        １５  タンク本体
１６  ブロック                        １７  油圧ポンプ
１８  螺子                            １９  吐出側
２０  吸入側                          ２１  開口部
２２  インサート                      ２３  取付けボルト
【図１】
2015017578.tif 000003
【図２】
2015017578.tif 000004
【図３】
2015017578.tif 000005